(57)【要約】【課題】本発明は、セッションを確立するための処理を開始する際に、サーバが開始者となってクライアントとの間でのセッションを確立することができるクライアントサーバシステムを提供する。【解決手段】本発明のクライアントサーバシステムは、ＰｏＣサーバ１が、予め取得した通信端末５の宛先のうちの少なくとも一つに、当該通信端末５との間で第１のセッションを確立することを要求するセッション要求を送信し、通信端末５が、前記セッション要求を前記ＰｏＣサーバ１から受信すると、前記ＰｏＣサーバ１との間で前記第１のセッションを確立するためのデータの送受信を開始する、ものである。【選択図】図１
2009098728.tif 000002
【特許請求の範囲】
【請求項１】
クライアントと、サーバと、を含んで構成されるクライアントサーバシステムであって、
前記サーバは、
前記クライアントと通信を行うサーバ通信手段を備え、
前記サーバ通信手段は、予め取得した前記クライアントの宛先のうちの少なくとも一つに、当該クライアントとの間で第１のセッションを確立することを要求するセッション要求を送信し、
前記クライアントは、
前記サーバと通信を行うクライアント通信手段を備え、
前記クライアント通信手段は、前記セッション要求を前記サーバから受信すると、前記サーバとの間で前記第１のセッションを確立するためのデータの送受信を開始する、
クライアントサーバシステム。
【請求項２】
クライアントと通信を行うサーバ通信手段を備え、
前記サーバ通信手段は、予め取得した前記クライアントの宛先のうちの少なくとも一つに、当該クライアントとの間で第１のセッションを確立することを要求するセッション要求を送信する、
サーバ。
【請求項３】
サーバと通信を行うクライアント通信手段を備え、
前記クライアント通信手段は、クライアントとの間で第１のセッションを確立することを要求するセッション要求をサーバから受信すると、前記サーバとの間で前記第１のセッションを確立するための各種情報の送受信を開始する、
クライアント。
【請求項４】
請求項１または２記載のサーバであって、
前記セッション要求を送信する条件を管理するチャットマネージャ手段を備え、
前記サーバ通信手段は、前記第１のセッションを確立する前に前記クライアントとの間で確立された第２のセッションを介して、前記第１のセッションを確立すべき前記クライアントを判別するための判別情報を受信し、
前記チャットマネージャ手段は、前記判別情報に基づいて、前記セッション要求を送信すべき前記クライアントを判別し、
前記サーバ通信手段は、前記チャットマネージャ手段によって判別された前記クライアントの宛先に、当該クライアントとの間で前記第１のセッションを確立することを要求するセッション要求を送信する、
サーバ。
【請求項５】
請求項４記載のサーバであって、
前記判別情報は、前記クライアントによって再生中のコンテンツが所定のメタデータを含むか否かについての情報を含む、
サーバ。
【請求項６】
請求項４または５記載のサーバであって、
前記サーバ通信手段は、当該サーバと通信可能なプレゼンスサーバに蓄積されたクライアントのプレゼンス情報を取得し、
前記チャットマネージャ手段は、前記判別情報及び前記プレゼンス情報に基づいて、前記セッション要求を送信すべき前記クライアントを判別する、
サーバ。
【請求項７】
請求項４から６のいずれか一項に記載のサーバであって、
前記チャットマネージャ手段は、前記判別情報を送信する前記クライアントの数、又は特定のクライアントからの前記判別情報の送信の有無に応じて、前記セッション要求を送信するか否かを判別し、
前記サーバ通信手段は、前記チャットマネージャ手段によって前記セッション要求を送信することが許可された場合に、前記チャットマネージャ手段によって判別された前記クライアントの宛先に、当該クライアントとの間で前記第１のセッションを確立することを要求するセッション要求を送信する、
サーバ。
【請求項８】
請求項１または３記載のクライアントであって、
前記クライアント通信手段は、
前記第１のセッションを確立する前に前記サーバとの間で確立された第２のセッションを介して、前記第１のセッションを確立すべき当該クライアントを判別するための判別情報を送信する、
クライアント。
【請求項９】
請求項８記載のクライアントであって、
コンテンツを再生するメディア再生手段を備え、
前記クライアント通信手段は、前記メディア再生手段により再生するコンテンツに所定のメタデータが関連付けされている場合、その旨を通知するための情報を前記サーバに送信する、
クライアント。
【請求項１０】
請求項１、２、４から７のいずれか一項に記載のサーバであって、
前記クライアントとの間で確立した前記第１のセッションにより当該クライアントに送信するコンテンツの再生条件を設定する再生バランス設定手段を備え、
前記サーバ通信手段は、前記再生バランス設定手段により前記コンテンツを構成する各種メディアデータに対して設定された再生条件を、前記第１のセッションを介して前記クライアントに送信する、
サーバ。
【請求項１１】
請求項１０記載のサーバであって、
前記再生条件は、前記コンテンツを構成する各種メディアデータを識別するためのメディア識別子と、前記メディアデータを出力する場合の出力強度を指定する再生強度と、を含んで構成される、
サーバ。
【請求項１２】
請求項１１記載のサーバであって、
前記再生強度は、前記コンテンツ又は他のコンテンツを構成するメディアデータの再生強度に対する相対的な数値として指定される、
サーバ。
【請求項１３】
請求項１、３、８及び９のいずれか一項に記載のクライアントであって、
コンテンツを再生するメディア再生手段と、
前記メディア再生手段によって前記コンテンツを再生する再生条件を制御する再生バランス制御手段を備え、
前記再生バランス制御手段は、前記コンテンツを構成する各種メディアデータに設定された再生条件に基づいて、前記メディア再生手段に再生させる、
クライアント。
【請求項１４】
請求項１３記載のクライアントであって、
前記再生バランス制御手段は、前記クライアント通信手段により前記第１のセッションを介して受信した前記再生条件に基づいて、前記再生手段に再生させる、
クライアント。
【請求項１５】
請求項１４記載のクライアントであって、
前記再生条件は、前記コンテンツを構成する各種メディアデータを識別するためのメディア識別子と、前記メディアデータを出力する場合の出力強度を指定する再生強度と、を含んで構成される、
クライアント。
【請求項１６】
請求項１５記載のクライアントであって、
前記再生強度は、前記コンテンツ又は他のコンテンツを構成するメディアデータの再生強度に対する相対的な数値として指定される、
クライアント。
【発明の詳細な説明】
【技術分野】
【０００１】
本発明は、クライアントサーバシステム、及びそのクライアントサーバシステムを構成するサーバ、クライアントに関し、特に、サーバ−クライアント間でセッションを確立するための処理に関する。
【背景技術】
【０００２】
特許文献１には、クライアントと、当該クライアントからの要求に対してセッションを確立してＷＷＷサービスを提供するWWWサーバと、により構成されるクライアントサーバシステムについて開示されている。
【０００３】
また、特許文献２には、テレビ放送を再生可能なクライアントと、テレビ放送を再生中のクライアントから当該テレビ放送に関連付けて開設されているチャットグループへの参加要求を受け付けた場合に、当該クライアントによるチャットグループへの参加を許可するサーバと、により構成されるテレビジョンチャットシステムについて開示されている。
【特許文献１】特開２００２−１１６９６２号公報
【特許文献２】国際公開第００／１３４１６号パンフレット
【発明の開示】
【発明が解決しようとする課題】
【０００４】
特許文献１、２に開示されているシステムはいずれも、クライアントがセッションの確立をサーバに要求し、他方、サーバがその要求を受け付けたクライアントとの間でセッションを確立するものである。つまり、複数のクライアント−サーバ間でセッションを確立するための処理を開始する際には、クライアントが開始者となっている。したがって、各クライアントを保有するユーザ相互のコミュニケーションの場を、サーバから提供することが出来なかった。
【０００５】
本発明は、上記事情に鑑みてなされたもので、セッションを確立するための処理を開始する際に、サーバが開始者となってクライアントとの間のセッションを確立することができるクライアントサーバシステム、サーバ、及びクライアントを提供することを目的とする。
【課題を解決するための手段】
【０００６】
本発明のクライアントサーバシステムは、クライアントと、サーバと、を含んで構成されるクライアントサーバシステムであって、前記サーバが、前記クライアントと通信を行うサーバ通信手段を備え、前記サーバ通信手段が、予め取得した前記クライアントの宛先のうちの少なくとも一つに、当該クライアントとの間で第１のセッションを確立することを要求するセッション要求を送信し、前記クライアントが、前記サーバと通信を行うクライアント通信手段を備え、前記クライアント通信手段が、前記セッション要求を前記サーバから受信すると、前記サーバとの間で前記第１のセッションを確立するためのデータの送受信を開始する、ものである。
【０００７】
本発明のサーバは、クライアントと通信を行うサーバ通信手段を備え、前記サーバ通信手段が、予め取得した前記クライアントの宛先のうちの少なくとも一つに、当該クライアントとの間で第１のセッションを確立することを要求するセッション要求を送信する、ものを含む。
【０００８】
本発明のクライアントは、サーバと通信を行うクライアント通信手段を備え、前記クライアント通信手段が、クライアントとの間で第１のセッションを確立することを要求するセッション要求をサーバから受信すると、前記サーバとの間で前記第１のセッションを確立するための各種情報の送受信を開始する、ものを含む。
【０００９】
この構成により、セッションを確立するための処理を開始する際に、サーバが開始者となってクライアントとの間でのセッションを確立することができる。
【００１０】
また、本発明のサーバは、前記セッション要求を送信する条件を管理するチャットマネージャ手段を備え、前記サーバ通信手段が、前記第１のセッションを確立する前に前記クライアントとの間で確立された第２のセッションを介して、前記第１のセッションを確立すべき前記クライアントを判別するための判別情報を受信し、前記チャットマネージャ手段が、前記判別情報に基づいて、前記セッション要求を送信すべき前記クライアントを判別し、前記サーバ通信手段が、前記チャットマネージャ手段によって判別された前記クライアントの宛先に、当該クライアントとの間で前記第１のセッションを確立することを要求するセッション要求を送信する、ものを含む。
【００１１】
また、本発明のサーバは、前記判別情報が、前記クライアントによって再生中のコンテンツが所定のメタデータを含むか否かについての情報を含む、ものを含む。
【００１２】
また、本発明のサーバは、前記サーバ通信手段が、当該サーバと通信可能なプレゼンスサーバに蓄積されたクライアントのプレゼンス情報を取得し、前記チャットマネージャ手段が、前記判別情報及び前記プレゼンス情報に基づいて、前記セッション要求を送信すべき前記クライアントを判別する、ものを含む。
【００１３】
また、本発明のサーバは、前記チャットマネージャ手段が、前記判別情報を送信する前記クライアントの数、又は特定のクライアントからの前記判別情報の送信の有無に応じて、前記セッション要求を送信するか否かを判別し、前記サーバ通信手段が、前記チャットマネージャ手段によって前記セッション要求を送信することが許可された場合に、前記チャットマネージャ手段によって判別された前記クライアントの宛先に、当該クライアントとの間で前記第１のセッションを確立することを要求するセッション要求を送信する、ものを含む。
【００１４】
また、本発明のクライアントは、前記クライアント通信手段が、前記第１のセッションを確立する前に前記サーバとの間で確立された第２のセッションを介して、前記第１のセッションを確立すべき当該クライアントを判別するための判別情報を送信する、ものを含む。
【００１５】
また、本発明のクライアントは、コンテンツを再生するメディア再生手段を備え、前記クライアント通信手段が、前記メディア再生手段により再生するコンテンツに所定のメタデータが関連付けされている場合、その旨を通知するための情報を前記サーバに送信する、ものを含む。
【００１６】
この構成により、セッションを確立する前にコミュニケーションの場に参加する意図があるユーザを効果的に絞り込むことができる。
【００１７】
また、本発明のサーバは、前記クライアントとの間で確立した前記第１のセッションにより当該クライアントに送信するコンテンツの再生条件を設定する再生バランス設定手段を備え、前記サーバ通信手段が、前記再生バランス設定手段により前記コンテンツを構成する各種メディアデータに対して設定された再生条件を、前記第１のセッションを介して前記クライアントに送信する、ものを含む。
【００１８】
また、本発明のサーバは、前記再生条件が、前記コンテンツを構成する各種メディアデータを識別するためのメディア識別子と、前記メディアデータを出力する場合の出力強度を指定する再生強度と、を含んで構成される、ものを含む。
【００１９】
また、本発明のサーバは、前記再生強度が、前記コンテンツ又は他のコンテンツを構成するメディアデータの再生強度に対する相対的な数値として指定される、ものを含む。
【００２０】
また、本発明のクライアントは、コンテンツを再生するメディア再生手段と、前記メディア再生手段によって前記コンテンツを再生する再生条件を制御する再生バランス制御手段を備え、前記再生バランス制御手段が、前記コンテンツを構成する各種メディアデータに設定された再生条件に基づいて、前記メディア再生手段に再生させる、ものを含む。
【００２１】
また、本発明のクライアントは、前記再生バランス制御手段が、前記クライアント通信手段により前記第１のセッションを介して受信した前記再生条件に基づいて、前記再生手段に再生させる、ものを含む。
【００２２】
また、本発明のクライアントは、前記再生条件が、前記コンテンツを構成する各種メディアデータを識別するためのメディア識別子と、前記メディアデータを出力する場合の出力強度を指定する再生強度と、を含んで構成される、ものを含む。
【００２３】
また、本発明のクライアントは、前記再生強度が、前記コンテンツ又は他のコンテンツを構成するメディアデータの再生強度に対する相対的な数値として指定される、ものを含む。
【００２４】
この構成により、クライアントがあるコンテンツ（例えば、放送番組）を再生しつつ別のコンテンツ（例えば、音声通話）を再生する状況において、放送番組を再生する際の音量と音声通話の音量とを最適なバランスに設定することができ、特別なケースとして放送番組又は音声通話の片方をミュートすることも可能であるので、音声通話が当該放送番組の視聴を妨げることがなくなる。
【発明の効果】
【００２５】
本発明のクライアントサーバシステム、サーバ、及びクライアントによれば、セッションを確立するための処理を開始する際に、サーバが開始者となってクライアントとの間のセッションを確立することができる。
【発明を実施するための最良の形態】
【００２６】
以下、本発明の実施の形態のクライアントサーバシステムについて詳細に説明する。まず、図１に示す、本発明の実施の形態のクライアントサーバシステムにおけるクライアント及びサーバの機能ブロック図を参照して、本発明の実施の形態のクライアントサーバシステムの構成について説明する。
【００２７】
本発明の実施の形態のクライアントサーバシステムは、サーバ群としてのＰｏＣサーバ１、ＰｏＣマネージャサーバ２、テレビ放送送信設備３及びプレゼンスサーバ４と、そのサーバ群とネットワークを介して接続される、クライアントとしての通信端末５と、を含んで構成される。なお、本発明の実施の形態では、ＰｏＣサーバ１が開始者となって、通信端末５との間でＰｏＣ（Push to talk over Cellular）によるセッションを確立する処理について説明するが、本発明はサーバがＰｏＣによるセッションを確立する処理に限るものではなく、各種通信プロトコルによるセッションを確立する処理にも適用することができる。ここでいうＰｏＣは、音声データの半二重通信に限定するものではなく、ビデオや静止画などの他のメディアも通信可能であるものを意味する。
【００２８】
ＰｏＣサーバ１は、ＰｏＣ制御部１１ａ、メディア管理部１１ｂ、通信部１２、再生バランス設定部１３を含んで構成される。ＰｏＣ制御部１１ａ及びメディア管理部１１ｂは、SIP（Session Initiation Protocol）やRTP（Real-time Transport Protocol）のパケット交換システムを用いて実現されるＰｏＣを実施するための、ＰｏＣクライアントとの間でのデータの送受信を制御するデバイス（例えば、増幅回路、変調回路、復調回路、エンコード回路、デコード回路などの回路）によって構成される。ＰｏＣ制御部１１ａは、ＰｏＣクライアントの間でセッションの確立、維持、終了するための制御データを送受信し、メディア管理部１１ｂは、ＰｏＣクライアントとの間でセッションを維持している期間にそのセッションによりコンテンツを送受信する。通信部１２は、ＰｏＣクライアントからネットワークを介して受信した信号をＰｏＣ制御部１１ａまたはメディア管理部１１ｂに出力し、また、ＰｏＣ制御部１１ａまたはメディア管理部１１ｂから入力した信号をネットワークを経由してＰｏＣクライアントに送信する。再生バランス設定部１３は、確立したＰｏＣセッションによってコンテンツを送受信する場合に、そのコンテンツを構成する各種メディアデータ（オーディオデータ、ビデオデータ、テキストデータなど）の再生条件を指定する制御データをＰｏＣ制御部１１ａに出力し、ＰｏＣ制御部１１ａにその制御データを送信させる。ＰｏＣ制御部１１ａ、メディア管理部１１ｂ、通信部１２、によるＰｏＣクライアントとの間のデータ通信の詳細については、後述する実施の形態１にて説明する。
【００２９】
再生バランス設定部１３が指定する再生条件の例としては、オーディオデータの場合には音量や音像位置を再生条件として指定し、ビデオデータの場合には画像をディスプレイに表示させるサイズを再生条件として指定し、テキストデータの場合には文字のフォントやディスプレイに表示させる文字のポイント数を再生条件として指定する。再生バランス設定部１３が指定する再生条件については、後述する実施の形態２において詳細に説明する。
【００３０】
ＰｏＣマネージャサーバ２は、ＰｏＣ管理部２１、通信部２２、再生バランス決定部２３を含んで構成される。ＰｏＣ管理部２１は、ＰｏＣマネージャサーバ２がリアルタイム性を確保したデータ通信を実施するためのデバイス（例えば、増幅回路、変調回路、復調回路、エンコード回路、デコード回路などの回路）によって構成される。ＰｏＣ管理部２１は、通信端末５との間でのデータの送受信（なお、ＰｏＣマネージャサーバ２による通信端末５とのデータの送受信は、ＰｏＣマネージャサーバ２が独自に通信端末５との間で確立したセッションにより行う。）を行うとともに、デジタルテレビジョン放送を放送する放送局に設けられ、放送に関する情報（例えば、ＥＳＧ（Electronic Service Guide）又はＥＰＧ（Electronic Program Guide）や、ある放送番組をテレビ放送受信機が再生する場合にそのテレビ放送受信機が遵守すべきその放送番組の再生条件など。）を配信するテレビ放送送信設備３から、その放送に関する情報を受信し、また、プレゼンスサーバ４からユーザのプレゼンス情報を受信する。ＰｏＣ管理部２１は、これらの受信したデータを基に、ＰｏＣサーバ１に対して、ＰｏＣセッションの確立を要求するタイミングやＰｏＣセッションを確立すべきＰｏＣクライアントなどを指定する。ＰｏＣ管理部２１による詳細な処理については、後述する実施の形態１にて説明する。通信部２２は、通信端末５、テレビ放送送信設備３及びプレゼンスサーバ４からネットワークを介して受信した信号をＰｏＣ管理部２１に出力し、また、ＰｏＣ管理部２１から入力した信号をネットワークを経由して通信端末５、テレビ放送送信設備３及びプレゼンスサーバ４に送信する。再生バランス決定部２３は、テレビ放送送信設備３から受信する、ある放送番組を再生する場合にテレビ放送受信機が遵守すべきその放送番組の再生条件を参照して、ある放送番組を再生する場合に放送局が許容可能な再生条件の範囲に関する情報をＰｏＣサーバ１に通知する。ＰｏＣサーバ１は、ＰｏＣマネージャサーバ２からその再生条件の範囲に関する情報を受信すると、その再生条件の範囲内でＰｏＣクライアントに送信する再生条件を決定する。再生バランス決定部２３がＰｏＣサーバ１に通知する再生条件については、後述する実施の形態２において詳細に説明する。なお、図１では、ＰｏＣサーバ１とＰｏＣマネージャサーバ２とが別々のサーバに分かれているが、ＰｏＣサーバ１とＰｏＣマネージャサーバ２のそれぞれの機能を有する一台のサーバによって構成してもよい。尚、ＰｏＣマネージャサーバ２は、チャットマネージャ手段としての機能を有する。
【００３１】
テレビ放送送信設備３は、デジタルテレビジョン放送を放送する放送局に設けられ、放送に関する情報（例えば、ＥＳＧ（Electronic Service Guide）又はＥＰＧ（Electronic Program Guide）や、ある放送番組をテレビ放送受信機が再生する場合にそのテレビ放送受信機が遵守すべきその放送番組の再生条件など。）を含むデジタルテレビジョン放送データを配信するサーバである。テレビ放送送信設備３が送信する情報は、テレビ放送受信機だけでなくＰｏＣマネージャサーバ２も受信する。
【００３２】
プレゼンスサーバ４は、ＯＭＡ（オープン・モバイル・アライアンス：移動体通信関連企業が集まって設立された、規格の標準化等を指向する業界団体）の標準仕様書に準拠して、複数のクライアントとの間でプレゼンス情報の送受信を行う。プレゼンス情報には、例えば、クライアントに対応付けられたユーザの名前や年齢等の情報、クライアントの種類（モバイル機器／固定機器等）を示す情報、オンラインステータス（オンライン／オフライン）、ステータステキスト（フリーテキストで記述されるユーザの現在の状況を示す情報：例えば、会議中、離席中など）、ならびに、クライアントの現在の位置情報（例えば、住所、緯度経度等）などの情報が含まれる。プレゼンスサーバ４は、ＰｏＣマネージャサーバ２からの要求に応じて、そのプレゼンス情報や、クライアントを識別する識別子をＰｏＣマネージャサーバ２に送信する。
【００３３】
通信端末５は、ＰｏＣ制御部５０１ａ、メディア管理部５０１ｂ、通信部５０２、再生バランス制御部５０３、メディア再生部５０４、ディスプレイ５０５、スピーカ５０６、テレビ放送受信部５０７、ＥＰＧ記憶部５０８、ユーザインタフェース処理部５０９、操作キー５１０、視聴状況通知部５１１、双方向データ処理部５１２を含んで構成される。
【００３４】
ＰｏＣ制御部５０１ａ及びメディア管理部５０１ｂは、SIP（Session Initiation Protocol）やRTP（Real-time Transport Protocol）のパケット交換システムを用いて実現されるＰｏＣを実施するための、ＰｏＣサーバ１との間でのデータの送受信を制御するデバイス（例えば、増幅回路、変調回路、復調回路、エンコード回路、デコード回路などの回路）によって構成される。ＰｏＣ制御部５０１ａは、ＰｏＣサーバとの間でセッションの確立、維持、終了するための制御データや、確立したＰｏＣセッションによってコンテンツを送受信する場合に、そのコンテンツを構成する各種メディアデータの再生条件を指定する制御データを送受信する。メディア管理部５０１ｂは、ＰｏＣサーバとの間でセッションを維持している期間にそのセッションによりコンテンツを送受信する。通信部５０２は、ＰｏＣサーバからネットワークを介して受信した信号をＰｏＣ制御部５０１ａまたはメディア管理部５０１ｂに出力し、また、ＰｏＣ制御部５０１ａまたはメディア管理部５０１ｂから入力した信号をネットワークを経由してＰｏＣサーバ１に送信する。また、通信部５０２は、ＰｏＣマネージャサーバ２からネットワークを介して受信した信号を視聴状況通知部５１１に出力し、また、視聴状況通知部５１１から入力した信号をネットワークを経由してＰｏＣマネージャサーバ２へ送信する（なお、通信部５０２によるＰｏＣマネージャサーバ２とのデータの送受信は、ＰｏＣサーバ１との間で確立するセッションとは異なる、ＰｏＣマネージャサーバ２との間で独自に確立したセッションにより行う。）。ＰｏＣ制御部５０１ａ、メディア管理部５０１ｂ及び通信部５０２がＰｏＣサーバ１との間で行うデータ通信については、後述する実施の形態１にて説明する。
【００３５】
再生バランス制御部５０３は、ＰｏＣ制御部５０１ａから入力した、コンテンツを構成する各種メディアデータの再生条件を指定する制御データにしたがって、当該メディアデータをメディア再生部５０４に再生させる。メディア再生部５０４は、メディア管理部５０１ｂから入力したコンテンツを再生バランス制御５０３から入力する制御信号に従って再生し、ディスプレイ５０５やスピーカ５０６に出力する。再生バランス制御部５０３による処理の詳細については、後述する実施の形態２において説明する。
【００３６】
テレビ放送受信部５０７は、テレビ放送送信設備３が送信する、コンテンツ及びＥＳＧ、ＥＰＧをデータとして含むデジタルテレビジョン放送を受信する。テレビ放送受信部５０７は、受信したデータのうちのコンテンツをメディア再生部５０４に出力して再生させ、受信したデータのうちのＥＳＧ又はＥＰＧをＥＰＧ記憶部５０８に出力して記憶させる。ユーザインタフェース処理部５０９は、操作キー５１０によって通信端末利用者から受け付けた操作を信号に変換して視聴状況通知部５１１及び双方向データ処理部５１２に出力する。視聴状況通知部５１１は、ＥＰＧ記憶部５０８に記憶されたＥＳＧ又はＥＰＧを参照して、ユーザインタフェース処理部５０９から入力する、通信端末利用者が再生することを選択した放送チャンネルから該当する放送番組を特定する。視聴状況通知部５１１は、特定した放送番組に関する情報を基に、ＰｏＣマネージャサーバ２とデータを送受信する。視聴状況通知部５１１とＰｏＣマネージャサーバ２との間で送受信されるデータの詳細については、後述する実施の形態１にて説明する。双方向データ処理部５１２は、ユーザインタフェース処理部５０９から入力したデータを基に、ＰｏＣ制御部５０１ａに各種制御データを出力する。例えば、双方向データ処理部５１２は、操作キー５１０によってクライアント（通信端末）が開始者となってセッションを確立する要求をＰｏＣサーバ１に要求する操作を通信端末利用者から受け付けた場合、ＰｏＣサーバ制御部５０１ａに通知して、ＰｏＣセッションの開始をＰｏＣサーバ１に要求する。双方向データ処理部５１２による処理については、後述する実施の形態３において詳細に説明する。
【００３７】
以降、本発明の実施の形態のクライアントサーバシステムによる、１．ＰｏＣサーバ１が開始者となって通信端末５との間でのセッションを確立する処理の流れ、２．確立されたセッションを介して受信したデータを通信端末５が再生する処理の流れ、３．通信端末５が開始者となってＰｏＣサーバ１との間でのセッションを確立する処理の流れを、実施の形態１、２、３に分けて詳細に説明する。
【００３８】
（実施の形態１）
本発明の実施の形態１のクライアントサーバシステムによる、ＰｏＣサーバ１が開始者となって通信端末との間でのセッションを確立する処理の流れについて、図２に示す、本発明の実施の形態１のクライアントサーバシステムによる、セッションを確立する際のシーケンスを参照して、説明する。
【００３９】
テレビ放送送信設備３は、ＥＰＧ又はＥＳＧあるいはＥＰＧ、ＥＳＧに相当する情報（これらの情報を以降、ＥＳＧと称する。）を含むデジタルテレビジョン放送データを配信している。他方、通信端末５は、テレビ放送受信部５０７によって、ＥＳＧを含むデジタルテレビジョン放送データを受信し、そのＥＳＧをＥＰＧ記憶部５０８に記憶する。通信端末５は、ＥＳＧが更新される度に最新のＥＳＧをＥＰＧ記憶部５０８に記憶する（ステップＳ２０２）。
【００４０】
一方、ＰｏＣマネージャサーバ２もまた、ＥＳＧを受信している。ＰｏＣマネージャサーバ２は、テレビ放送送信設備３からネットワークを介してＥＳＧを取得しても良いし、通信端末５と同様にテレビ放送受信部を搭載して、ＥＳＧを取得しても良い。ＰｏＣマネージャサーバ２のＰｏＣ管理部２１は、取得したＥＳＧを参照して、番組を実際に視聴している視聴者を対象としたコミュニケーションの場を以降説明する処理により提供する用意のある番組に関連付けされたメタデータを抽出し、通信端末５に送信する（ステップＳ２０１）。ここで送信するメタデータは、類似番組との混同を避けるためには、論理和（ＡＮＤ）、論理積（ＯＲ）、論理否定（ＮＯＴ）、排他的論理和（ＥＯＲ）などの論理演算子で複数のメタデータを結合した形態とすることが望ましい。
【００４１】
通信端末５のユーザインタフェース処理部５０９は、操作キー５１０によって通信端末利用者の操作を検出しているが、ある放送チャンネルの再生を指示する操作（または、その時点で再生していた放送チャンネルを別の放送チャンネルに変更して再生することを指示する操作）を検出すると、再生を指示された放送チャンネルを視聴状況通知部５１１に通知するとともに、同放送チャンネルをテレビ放送受信部５０７に通知して、テレビ放送受信部５０７に同放送チャンネルのデジタルテレビジョン放送データを受信させる。
【００４２】
通信端末５の視聴状況通知部５１１は、通信端末利用者によって再生するよう指示された放送チャンネルをユーザインタフェース処理部５０９から通知されると、ＥＰＧ記憶部５０８に記憶されたＥＳＧを参照して、同放送チャンネルのその時間帯での放送番組を特定し、その放送番組に関連付けられているメタデータを抽出する。視聴状況通知部５１１は、その再生を指示された放送番組に関連付けられているメタデータと、ＰｏＣマネージャサーバ２から予め受信しておいたメタデータとを比較し、双方のメタデータが一致すれば、そのときに再生を指示された放送番組がＰｏＣマネージャサーバ２によって指定されている放送番組であると判別し、一致しなければＰｏＣマネージャサーバ２によって指定されている放送番組ではないと判別する。視聴状況通知部５１１は、双方のメタデータが一致した場合に、メタデータが一致した旨とともに、通信端末５を識別する識別情報（通信識別子やプレゼンスサーバ４に登録されているユーザＩＤなど）をＰｏＣマネージャサーバ２に送信する（ステップＳ２０３）。
【００４３】
ＰｏＣマネージャサーバ２のＰｏＣ管理部２１は、放送番組に関連付けられているメタデータを複数の通信端末に送信しているため、メタデータが一致した旨を複数の通信端末５から通知され得る（ステップＳ２０３、ステップＳ２０４）。ＰｏＣ管理部２１は、メタデータが一致した旨の通知を所定数以上の通信端末５から受信する、あるいは特定の視聴者に対応する通信端末５からの通知を受信するなど、予め設定した条件が満たされると以降の処理を進行する。この所定数は、その放送番組の予想視聴者数などを反映して、適宜設定しても良い。ＰｏＣ管理部２１は、予め定めた条件が満たされると、これからＰｏＣサーバ２によって確立するセッションを利用したコミュニケーション（例えば、チャット、音声通話）に参加する意図があるか否かを確認するために、参加確認メッセージを各通信端末５に送信する（ステップＳ２０５）。
【００４４】
通信端末５の視聴状況通知部５１１は、参加確認メッセージをＰｏＣマネージャサーバ２から受信すると、ユーザインタフェース処理部５０９に出力して、通信端末利用者が視聴中の放送番組に対応して開設されるコミュニケーションの場に参加する意図があるか否かをディスプレイ５０５やスピーカ５０６に報知させる。ここで、ユーザインタフェース処理部５０９は、操作キー５１０によってその意図があることを指示する操作が通信端末利用者によってなされたことを検出すると、その旨を視聴状況通知部５１１に通知し、視聴状況通知部５１１が参加確認メッセージに対する応答である参加応答メッセージをＰｏＣマネージャサーバ２に送信する（ステップＳ２０６）。このようにセッションを確立する前にコミュニケーションの場に参加する意図のある視聴者を確認すれば、参加者の人数に応じて適切な通信リソースを割り当てることや、参加意図を持つ視聴者数を以降の処理を継続するための条件に用いることなどが可能となる。
【００４５】
ＰｏＣマネージャサーバ２のＰｏＣ管理部２１は、所定数の通信端末から参加応答メッセージを受信すると以降の処理を進行する（なお、上記所定数は、メタデータが一致した旨を通知した通信端末の数と同数であっても、それ以下の数であってもよい）。ＰｏＣ管理部２１は、参加応答メッセージを受信した通信端末が、メタデータが一致した旨を通知した際に送信している識別情報を参照して、当該通信端末のプレゼンス情報をプレゼンスサーバ４に問い合わせる（ステップＳ２０７）。プレゼンスサーバ４は、問い合わせのあった識別情報に対応するプレゼンス情報があれば、そのプレゼンス情報をＰｏＣマネージャサーバ２に送信する（ステップＳ２０８）。ＰｏＣ管理部２１は、プレゼンスサーバ４から問い合わせたプレゼンス情報を受信すると、そのプレゼンス情報に応じてセッションを確立する通信端末を選択する。ＰｏＣ管理部２１は、年齢がプレゼンス情報に含まれていれば、例えば、視聴中の放送番組が標的とする標的年代にそのプレゼンス情報の年齢が含まれている通信端末を選択する。また、クライアントの現在位置情報がプレゼンス情報に含まれていれば、例えば、視聴中の放送番組に紹介されている標的地域にそのプレゼンスの現在位置情報が含まれている通信端末を選択する。これにより、視聴者に提供するコミュニケーションの場に参加する標的を効果的に絞ることができるため、ユーザ嗜好に適合したコミュニケーションの場を提供することができる。
【００４６】
ＰｏＣマネージャサーバ２のＰｏＣ管理部２１は、上記のステップＳ２０３からステップＳ２０８の処理を経て、最終的に絞り込んだ通信端末との間でＰｏＣによるセッションを確立するようＰｏＣサーバ２に指示する（ステップＳ２０９）。この際、ＰｏＣ管理部２１は、その絞り込んだ通信端末を識別する識別情報のリスト、あるいはＰｏＣによるコミュニケーションを行うために通信端末利用者が別途作成したＰｏＣグループに対する識別情報を併せてＰｏＣサーバ２に送信する。一方、ＰｏＣサーバ１のＰｏＣ制御部１１ａは、ＰｏＣマネージャサーバ２から特定の通信端末との間でセッションを確立するよう指示されると、受信した識別情報を参照して、特定の通信端末宛てにセッション確立要求を送信する。他方、通信端末５のＰｏＣ制御部５０１ａが、ＰｏＣサーバ１からセッション確立要求を受信し（ステップＳ２１０）、その要求に応答するセッション確立受諾をＰｏＣサーバ１に送信すると（ステップＳ２１１）、セッションが確立し、視聴者相互のコミュニケーションの場が形成される。ただし、このコミュニケーションの場は、番組の放送終了とともに解消されるなど、ＰｏＣサーバ１を管理するサービスプロバイダなどの意向によってその継続時間が制約される。
【００４７】
以上、本発明の実施の形態１のクライアントサーバシステムによれば、サーバとしてのＰｏＣサーバがセッションの開始者となって適切なコミュニケーションの場を形成することができる。さらに、番組提供者あるいはサービスプロバイダが、特定の内容に関心を持つ視聴者を集めたコミュニケーションの場を提供することができるので、視聴者との信頼強化や新たな広告手段の創設などへの応用に繋がる。
【００４８】
また、ＰｏＣ管理部２１が作成しＰｏＣサーバ１に送信する、通信端末の識別情報のリストについて、ランダムなグループ分けを行えば、互いに未知の視聴者間のアドホックなコミュニケーションの場を提供することができ、互いに既知の視聴者を集めたグループ分けを行えば、定例のコミュニケーションの場を提供することができる。
【００４９】
また、デジタルテレビジョン放送によって配信されている放送番組に対応したコミュニケーションの場を開設することはまさに、デジタルテレビジョン放送が目的とするところの視聴者−放送局間での双方向のコミュニケーションを実現するものであり、本発明の実施の形態１のクライアントサーバシステムは、デジタルテレビジョン放送のより広範な普及及び視聴者の利便性を向上させるものである。
【００５０】
なお、本発明の実施の形態１では、ステップＳ２０１からステップＳ２０８による処理によって、ＰｏＣサーバ１にセッションを確立させる通信端末５をＰｏＣマネージャサーバ２が絞り込む処理を行うよう記載した。これは、セッションを確立する前にコミュニケーションの場に参加する意図がある視聴者を効果的に絞り込むための処理であり、必ずしもこの絞り込むための処理を実施する必要は無い。例えば、通信端末５が予めＰｏＣマネージャサーバ２に他の通信端末を識別する識別情報を個別にあるいはグループ単位で登録しておき、ＰｏＣマネージャサーバ２のＰｏＣ管理部２１が、通信端末５による登録処理により予め取得しておいたその識別情報により識別される通信端末との間でＰｏＣによるセッションを確立するようＰｏＣサーバ２に指示する（ステップＳ２０９）ようにしてもよい。
【００５１】
また、放送番組には、放送される時間帯に周期性があるが（例えば、日または週単位で、一度または所定回の放送時間帯が割り当てられている。）、ＰｏＣマネージャサーバ２は、ＰｏＣサーバ１にセッションを確立させる通信端末５を絞り込む処理を一旦行った場合には、その絞り込んだ通信端末５の識別情報を記憶しておき、以降同一の放送番組が放送されるときに、その記憶しておいた識別情報により識別される通信端末との間でＰｏＣによるセッションを確立するようＰｏＣサーバ２に指示する（ステップＳ２０９）ようにしてもよい。
また、テレビ放送送信設備３は、放送網によりデジタルテレビジョン放送を放送するものではなく、パケット通信網を用いたマルチキャストによるコンテンツ配信を行う形態でも良い。
【００５２】
（実施の形態２）
本発明の実施の形態２のクライアントサーバシステムによる、確立されたセッションを介して受信したデータを通信端末５が再生する処理の流れについて、説明する。
【００５３】
本発明の実施の形態１にて説明した、ＰｏＣサーバ１と通信端末５とによるセッションの確立処理を経て、ＰｏＣサーバ１のメディア管理部１１ｂ及び通信端末５のメディア管理部５０１ｂは、ＰｏＣを利用したコンテンツの送受信を開始する。通信端末５のメディア再生部５０４は、メディア管理部５０１ｂからコンテンツを構成するメディアデータを入力すると、そのメディアデータの種別（オーディオデータ、ビデオデータ、テキストデータなど）に応じたアナログ信号に変換し、ディスプレイ５０５またはスピーカ５０６に出力する。他方、メディア再生部５０４は、テレビ放送受信部５０７からもデジタルテレビジョン放送データのコンテンツを構成するメディアデータを入力しており、同様にディスプレイ５０５またはスピーカ５０６に出力する。
【００５４】
ところで、本発明のクライアントサーバシステムを実施する場合、通信端末利用者は、ある放送番組を視聴しながら、ＰｏＣサーバ１との間で確立したセッションを利用したチャットや音声通話によって、当該放送番組に関する話題について意見交換する状況が想定される。このような状況では、メディア再生部５０４が、メディア管理部５０１ｂから入力したメディアデータとテレビ放送受信部５０７から入力したメディアデータとを、同時期に再生する場合があり、メディア再生部５０４は、それぞれのメディアデータを再生するバランス（再生条件）を制御した上で、ディスプレイ５０５またはスピーカ５０６に出力させることが望ましい。例えば、通信端末利用者が放送番組を視聴しつつ音声通話をする状況において、放送番組を再生する音量よりも音声通話の音量が大きくなってしまうと、音声通話は、当該放送番組に関する話題について意見交換するためのコミュニケーションの一手段であるはずが、当該放送番組の視聴を妨げることになってしまう。本発明の実施の形態２では、通信端末５が各種メディアデータを再生するバランス（再生条件）を制御する処理について説明する。
【００５５】
ＰｏＣサーバ１３のメディア再生部５０４は、メディアデータ毎に割り当てられるメディア識別子を参照して、メディア管理部５０１ｂから入力したメディアデータとテレビ放送受信部５０７から入力したメディアデータとを識別し、各メディアデータを再生する。このため、メディア再生部５０４に各種メディアデータを再生させるためには、そのメディア識別子と、そのメディア識別子により識別されるメディアデータを再生する際の強度を示す出力強度（出力強度の例としては、オーディオデータの場合には音量や音像位置に関する数値であり、ビデオデータの場合には画像をディスプレイに表示させるサイズや画像の透明度であり、テキストデータの場合には文字のフォントやディスプレイに表示させる文字のポイント数である。）とを含む再生条件を通知する必要がある。以下、メディア再生部５０４に再生条件を通知する処理について説明する。
【００５６】
通信端末５のユーザインタフェース処理部５０９は、操作キー５１０によって再生中のメディアデータの出力強度、例えばオーディオデータの音量、を調整することを要求する操作を検出すると、現在再生中の各オーディオデータ（例えば、放送番組のオーディオデータやＰｏＣサーバ１を利用した音声通話のオーディオデータ）のメディア識別子と、各オーディオデータの音量を増減する調整方向と、を双方向データ処理部５１２に出力して、双方向データ処理部５１２にＰｏＣ制御部５０１ａへ通知させる。ＰｏＣ制御部５０１ａは、送信元として通信端末５を識別する通信識別子、双方向データ処理部５１２から通知された各メディアデータのメディア識別子、及び、同じく双方向データ処理部５１２から通知された各メディア識別子毎の調整方向を含む再生バランス制御要求を、制御データとしてＰｏＣサーバ１に送信する。例えば、ＰｏＣ制御部５０１ａは、メディア識別子「１」によって識別される音声通話用のオーディオデータを調整方向「０」（音量減少方向）であることを、メディア識別子「２」によって識別される放送番組用のオーディオデータを調整方向「１」（音量減少方向）であることをバランス制御要求によってＰｏＣサーバ１に通知する。
【００５７】
ところで、テレビ会議やＰｏＣを用いたコミュニケーションでは、円滑なコミュニケーションの進行のため、発言者の指名や映像／音声品質制御の一部などに対する権限を議長に持たせることがある。ＰｏＣサーバ１のＰｏＣ制御部１１ａは、この議長に対応する通信端末５から上述したバランス制御要求を受信した場合、あるいはコミュニケーションへの参加者の一定数以上からのバランス制御要求を受信した場合など、予め設定した条件をみたす要求を受信すると、そのバランス制御要求に記述されているメディア識別子を参照して、当該メディア識別子により識別されるメディアデータを再生する際に推奨される出力強度の変更をＰｏＣマネージャサーバ２に要求する。ＰｏＣマネージャサーバ２のＰｏＣ管理部２１は、テレビ放送送信設備３から、ある放送番組をテレビ放送受信機が再生する場合にそのテレビ放送受信機が遵守すべきその放送番組の再生条件を受信しており、その再生条件のなかに再生時に推奨される出力強度が記述されている。例えば、ある放送番組のコンテンツを構成するビデオデータを出力する際のサイズや、オーディオデータを出力する際の音量や、テキストデータを出力する表示位置、さらには、ＣＭを表示する期間における放送番組のコンテンツ以外のビデオデータやオーディオデータの出力に対する制限、などである。ＰｏＣマネージャサーバ２の再生バランス決定部２３は、ＰｏＣサーバ１からの要求に応じて、テレビ放送受信機が遵守すべきその放送番組の再生条件をも勘案し、該当するメディア識別子に対応する出力強度の変更を含む再生条件をＰｏＣサーバ１に送信する。
【００５８】
ＰｏＣサーバ１のＰｏＣ制御部１１ａは、メディア識別子毎の出力強度をＰｏＣマネージャサーバ２から受信すると、そのメディア識別子と出力強度の組み合わせを通信端末５のＰｏＣ制御部５０１ａを経由して再生バランス制御部５０３に送信する。再生バランス制御部５０３は、各メディア識別子の出力強度を基に、出力強度バランスの算出を行う。例えば、メディア識別子「１」によって識別される音声通話用のオーディオデータの出力強度として「５」を受信し、メディア識別子「２」によって識別される放送番組用のオーディオデータの出力強度として「１０」を受信した場合、メディア識別子「１」によって識別される音声通話用のオーディオデータには「５／（５＋１０）＝１／３」を、メディア識別子「２」によって識別される放送番組用のオーディオデータには「１０／（５＋１０）＝２／３」を、それぞれの出力バランスとして算出する。スピーカ５０６の絶対的な出力レベルの制御は、通信端末５に設置されたボリュームコントロールによって行われるため、各メディアの再生強度の相対値がＰＯＣサーバ１から送信されている。なお、再生バランス制御部５０３は、音声通話、バックグランドミュージック、放送番組のオーディオなど三種類以上のメディアに対する出力強度を与えられた場合でも、、同様の計算により、出力強度バランスを算出する。なお、メディア識別子「１」に対する出力強度が「０」としてＰｏＣサーバ１から送信される場合は、メディア識別子「１」の音声通話をミュートすることを意味する。
【００５９】
再生バランス制御部５０３は、算出した各メディアの出力強度バランスをメディア再生部５０４に送信する。メディア再生部５０４は、これら各メディアの出力強度バランスの値及び通信端末５に設置されたボリュームコントロールにより、スピーカ５０５の出力を制御する。
【００６０】
以上、本発明の実施の形態２のクライアントサーバシステムによれば、クライアントが放送番組を視聴しつつ音声通話をする状況において放送番組を再生する際の音量よりも音声通話の音量が大きくなることを防ぎ、音声通話が当該放送番組の視聴を妨げることがなくなる。このため、放送番組を配信する放送局の意にかなった放送サービスを実現することができる。
【００６１】
なお、本発明の実施の形態２では、メディアデータの一例としてオーディオデータを例に挙げて説明したが、ビデオデータやテキストデータであっても、ビデオデータの場合には画像をディスプレイに表示させるサイズあるいは、ディスプレイ５０５に複数のビデオデータを重畳して表示させる場合にはそのビデオデータの透明度を出力強度として指定し、テキストデータの場合にはディスプレイに表示させる文字のポイント数などを出力強度として指定することにより、本発明のクライアントサーバシステムに同様に適用することができる。
【００６２】
なお、本発明の実施の形態２では、ある放送番組をテレビ放送受信機が再生する場合にそのテレビ放送受信機が遵守すべきその放送番組の再生条件を、テレビ放送送信設備３から受信する場合について説明したが、再生バランス設定部２３に再生条件を予め設定しても良い。
【００６３】
（実施の形態３）
本発明の実施の形態１では、ＰｏＣサーバ１が開始者となってある放送番組を再生中の通信端末５との間でのセッションを確立し、そのセッションを利用して当該放送番組に対応したコミュニケーションの場を開設する処理について説明した。ところで、テレビ放送通信設備が送信するＥＳＧには、ある番組に関連するサイトのＵＲＬ（Uniform Resource Locator）を含む場合がある。視聴者はこのＵＲＬで示されるサイトにＷＷＷをはじめとするインターネットアプリケーションでアクセスし、更にそのサイトからチャットやクイズなど別のサービスアプリケーションや追加情報提供サービスなどを起動することが可能となっている。しかし、ＰｏＣをはじめ多くのインタラクティブサービスなどを開始するには、ＩＥＴＦ（Internet Engineering Task Force）が定めたＳＩＰ（Session Initiation Protocol）にしたがってセッション確立要求を送信することが多く、上記サービスの提供者に通信端末５から直接セッションリクエストを送信したほうが効率的である。本発明の実施の形態３では、通信端末５が開始者となって、ある放送番組に関連付けられたインタラクティブサービスへのセッションを確立する処理について、説明する。ここでは、新たなＰｏＣサービスが提供されるものとする。
【００６４】
テレビ放送送信設備３は、ＥＳＧを含むデジタルテレビジョン放送データを配信している。本発明の実施の形態３では、ＥＳＧには、各放送番組毎に、インタラクティブサービスの名称、そのインタラクティブサービスの開始要求を送信すべき宛先及び、音声サービスの言語種類などの関連情報で構成されるインタラクティブオブジェクトが含まれている。他方、通信端末５は、テレビ放送受信部５０７によって、ＥＳＧを含むデジタルテレビジョン放送データを受信し、そのＥＳＧをＥＰＧ記憶部５０８に記憶する。
【００６５】
通信端末５のユーザインタフェース処理部５０９は、操作キー５１０によって通信端末利用者の操作を検出しているが、ある放送チャンネルの再生を指示する操作（または、その時点で再生していた放送チャンネルを別の放送チャンネルに変更して再生することを指示する操作）を検出すると、再生を指示された放送チャンネルを双方向データ処理部５１２に通知するとともに、同放送チャンネルをテレビ放送受信部５０７に通知して、テレビ放送受信部５０７に同放送チャンネルのデジタルテレビジョン放送データを受信させる。
【００６６】
通信端末５の双方向データ処理部５１２は、通信端末利用者によって再生を指示された放送チャンネルをユーザインタフェース処理部５０９から通知されると、ＥＰＧ記憶部５０８に記憶されたＥＳＧを参照して、同放送チャンネルのその時間帯での放送番組を特定し、その放送番組に関連付けられているメタデータを抽出する。双方向データ処理部５１２は、その再生を指示された放送番組に関連付けられているメタデータから、上述のインタラクティブオブジェクトを抽出する。
【００６７】
通信端末５の双方向データ処理部５１２は、インタラクティブオブジェクトを抽出すると、ユーザインタフェース処理部５０９に出力して、視聴中の放送番組に対応して開設されるコミュニケーションの場に参加する意図があるか否かをディスプレイ５０５やスピーカ５０６に報知させる。ここで、ユーザインタフェース処理部５０９は、操作キー５１０によってその意図があること及び使用言語などの嗜好情報を指示する操作が通信端末利用者によってなされたことを検出すると、その旨を双方向データ処理部５１２に通知し、双方向データ処理部５１２がインタラクティブオブジェクトに挿入されたインタラクティブサービスの開始要求を送信すべき宛先を抽出し、上述の嗜好情報とともにＰｏＣ制御部５０１ａに出力する。
【００６８】
通信端末５のＰｏＣ制御部５０１ａは、双方向データ処理部５１２から受信した情報を用いて、ＳＩＰで定められたセッション確立要求メッセージを構成し、ＰｏＣサーバ１に送信する。ＰｏＣサーバ１のＰｏＣ制御部１１ａは、通信端末５からセッション確立要求を受信し、その要求に応答するセッション確立受諾を通信端末５に送信する。ここにＰｏＣセッションが確立され、音声会話が提供される。
【００６９】
以上、本発明の実施の形態３のクライアントサーバシステムによれば、ある放送番組に関連したサービスへのセッションを確立する際に、中間サイトを経由することなく、通信端末から直接セッション確立要求を送信することができる。この際、セッション確立要求を送信すべき宛先（サーバが開設するコミュニケーションの場）がＥＳＧに記述されているため、クライアントの利用者はセッション確立要求を送信する宛先を検索または入力する手間を省くことができ、簡単にセッション確立要求メッセージ構成することができる。
【産業上の利用可能性】
【００７０】
以上、本発明のクライアントサーバシステム、サーバ、及びクライアントによれば、セッションを確立するための処理を開始する際に、サーバが開始者となってクライアントとの間でのセッションを確立することができるという効果を奏し、サーバ−クライアント間でセッションを確立する通信分野において有用である。
【図面の簡単な説明】
【００７１】
【図１】本発明の実施の形態のクライアントサーバシステムにおけるクライアント及びサーバの機能ブロック図
【図２】本発明の実施の形態１のクライアントサーバシステムによる、セッションを確立する際のシーケンス
【図３】本発明の実施の形態３のクライアントサーバシステムによる、セッションを確立する際のシーケンス
【符号の説明】
【００７２】
１  ＰｏＣサーバ
１１ａ  ＰｏＣ制御部
１１ｂ  メディア管理部
１２  通信部
１３  再生バランス設定部
２  ＰｏＣマネージャサーバ
２１  ＰｏＣ管理部
２２  通信部
２３  再生バランス決定部
３  テレビ放送送信設備
４  プレゼンスサーバ
５  通信端末
５０１ａ  ＰｏＣ制御部
５０１ｂ  メディア管理部
５０２  通信部
５０３  再生バランス制御部
５０４  メディア再生部
５０５  ディスプレイ
５０６  スピーカ
５０７  テレビ放送受信部
５０８  ＥＰＧ記憶部
５０９  ユーザインタフェース処理部
５１０  操作キー
５１１  視聴状況通知部
５１２  双方向データ処理部
【図１】
2009098728.tif 000003
【図２】
2009098728.tif 000004
【図３】
2009098728.tif 000005